(57)【要約】【課題】把手の強度や耐久性が高く、包装体を運搬する際に把手が破断されてしまう事態を有効に防止することが可能な包装袋及び包装体を提供する。【解決手段】運搬用の把手６を形成し得る包装袋１であって、その上端縁２側に、把手６の形状に沿って、複数の切れ目１２ａ，１２ｂ，１２ｃが断続的に配置されており、複数の切れ目１２ａ，１２ｂ，１２ｃのうち少なくとも一部が、その端部を把手６とは離間する方向に湾曲ないし屈曲させた形状の切れ目である包装袋１。【選択図】図４
2007084105.tif 000002
【特許請求の範囲】
【請求項１】
運搬用の把手を形成し得る包装袋であって、
その上端縁側に、前記把手の形状に沿って、複数の切れ目が断続的に配置されており、
前記複数の切れ目のうち少なくとも一部が、その端部を前記把手とは離間する方向に湾曲ないし屈曲させた形状の切れ目である包装袋。
【請求項２】
前記複数の切れ目のうち少なくとも一部が、その両端部を前記把手とは離間する方向に湾曲させた形状の切れ目である請求項１に記載の包装袋。
【請求項３】
複数の切れ目が、袋の上端縁側に向かって凸となる形状に断続的に配置されており、
前記複数の切れ目のうち、少なくとも袋の上端縁に沿って配置された切れ目が、その端部を袋の下端縁方向に湾曲ないし屈曲させた形状の切れ目である請求項１又は２に記載の包装袋。
【請求項４】
両側縁に襠部が形成されたガセットチューブからなり、前記ガセットチューブの一方の端縁開口が封着されることにより、袋状に構成されている請求項１〜３のいずれか一項に記載の包装袋。
【請求項５】
被包装体と、請求項１〜４のいずれか一項に記載の包装袋とを備え、
前記被包装体が前記包装袋に封入されている包装体。
【発明の詳細な説明】
【技術分野】
【０００１】
本発明は、運搬用の把手を形成することができる包装袋に関するものである。より具体的には、袋の上端縁側に、把手の形状に沿って、複数の切れ目が断続的に配置されており、その断続的に配置された切れ目の間を切断することにより、把手を形成することができる包装袋に関するものである。
【背景技術】
【０００２】
従来、使い捨ておむつ、生理用ナプキン、トイレットペーパー、ティシュペーパー等をはじめとする使い捨て紙製品を包装するための包装袋として、樹脂製のフィルムからなる包装袋が用いられている。
【０００３】
このような包装袋としては、包装体を持ち運ぶ際の便宜のために、運搬用の把手が形成されたものが一般的である。例えば、図１に示す包装袋１００は、その上端縁２側に形成されたフラップ部８に、予め、手指を差し込むための開口部４が形成されており、その開口部４の周縁に把手６が形成された包装袋である（例えば、特許文献１参照）。
【０００４】
また、図２に示す包装袋１１０は、その上端縁２側に形成されたフラップ部８の一部を、袋の上端縁２側に向かって凸となる形状に切り込むことによって開口部４が形成されており、その開口部４の周縁に把手６が形成された包装袋である（例えば、特許文献２参照）。
【０００５】
図２に示す包装袋１１０は、図１に示す包装袋１００とは異なり、開口部４に相当する部分の切断片（トリム）が発生しない。従って、製造時において切断片を除去する等の手間が不要で容易に製造可能であることに加え、使用時にも無用なゴミが発生しないという効果を期待することができる。しかしながら、特許文献２に記載の包装袋は、図２に示す包装袋１１０のように、包装袋１１０の製造段階から自由端を有する切り残し部１０が存在するために、製造時において、ランダムに垂れ下がる切り残し部１０に起因して、本来不要な部分に折れ目が形成されてしまう等、外観不良が発生するおそれがあるという課題があった。
【０００６】
このような従来技術の課題を解決するために、袋の上端縁側に、把手の形状に沿って、複数の切れ目が断続的に配置されており、その断続的に配置された切れ目の間を切断することにより、把手を形成することができる包装袋が提案されている（このような包装袋に関する先行技術文献は特に見当たらない）。
【０００７】
例えば、図３に示す包装袋１２０は、その上端縁２側に形成されたフラップ部８に、複数の切れ目１２が断続的に配置されており、その断続的に配置された切れ目１２の間（図中符号１４：以下、「不連続部」と称することにする）を切断することにより把手６を形成することができるものである。
【０００８】
【特許文献１】特開平１１−９１７９７号公報（段落００１９、図１）
【特許文献２】実開平７−２４７６４号公報（段落００１７、図１）
【発明の開示】
【発明が解決しようとする課題】
【０００９】
図３に示す包装袋１２０も、開口部に相当する部分が自由端を有する切り残し部として袋に残存するため、開口部に相当する部分の切断片が発生することはない。従って、特許文献２に記載の包装袋（例えば、図２に示す包装袋１１０）と同様の効果を期待することができる。また、使用時に把手を形成するものであるため、特許文献２に記載の包装袋とは異なり、製造段階においては自由端を有する切り残し部が存在しない。従って、ランダムに垂れ下がる切り残し部に起因して、本来不要な部分に折れ目が形成されてしまう等、外観不良が発生するという不具合が生ずることもない。このように、図３に示す包装袋１２０は、特許文献１及び２に記載の包装袋（図１及び図２を参照）が有する技術的課題を解決し得るものである。
【００１０】
しかしながら、図３に示す包装袋１２０は、包装体１２３を運搬する際に把手６が破断されてしまう場合があり、把手６の強度や耐久性という面で未だ解決すべき課題を残すものであった。
【００１１】
本発明は、このような従来技術の課題を解決するためになされたものであって、把手の強度や耐久性が高く、包装体を運搬する際に把手が破断されてしまう事態を有効に防止することが可能な包装袋及び包装体を提供するものである。
【課題を解決するための手段】
【００１２】
本発明者は、前記のような従来技術の課題を解決するために鋭意検討した結果、把手形成の際に、把手に裂け目を生ずる場合があり、この裂け目が把手の強度や耐久性を低下させているという知見を得た。そして、把手を形成するための切れ目を、その端部が把手とは離間する方向に湾曲ないし屈曲する形状の切れ目とすることによって、上記課題が解決されることに想到し、本発明を完成させた。具体的には、本発明により、以下の包装袋及び包装体が提供される。
【００１３】
［１］  運搬用の把手を形成し得る包装袋であって、その上端縁側に、前記把手の形状に沿って、複数の切れ目が断続的に配置されており、前記複数の切れ目のうち少なくとも一部が、その端部を前記把手とは離間する方向に湾曲ないし屈曲させた形状の切れ目である包装袋。
【００１４】
［２］  前記複数の切れ目のうち少なくとも一部が、その両端部を前記把手とは離間する方向に湾曲させた形状の切れ目である前記［１］に記載の包装袋。
【００１５】
［３］  複数の切れ目が、袋の上端縁側に向かって凸となる形状に断続的に配置されており、前記複数の切れ目のうち、少なくとも袋の上端縁に沿って配置された切れ目が、その端部を袋の下端縁方向に湾曲ないし屈曲させた形状の切れ目である前記［１］又は［２］に記載の包装袋。
【００１６】
［４］  両側縁に襠部が形成されたガセットチューブからなり、前記ガセットチューブの一方の端縁開口が封着されることにより、袋状に構成されている前記［１］〜［３］のいずれかに記載の包装袋。
【００１７】
［５］  被包装体と、前記［１］〜［４］のいずれかに記載の包装袋とを備え、前記被包装体が前記包装袋に封入されている包装体。
【発明の効果】
【００１８】
本発明の包装袋及び包装体は、把手の強度や耐久性が高く、包装体を運搬する際に把手が破断されてしまう事態を有効に防止することができる。
【発明を実施するための最良の形態】
【００１９】
以下、本発明の包装袋及び包装体を実施するための最良の形態について、図面を参照しながら具体的に説明する。但し、本発明はその発明特定事項を備える包装袋及び包装体を広く包含するものであり、以下の実施形態に限定されるものではない。
【００２０】
［１］本発明の構成：
本発明の包装袋は、運搬用の把手を形成し得る包装袋であり、例えば、図４に示す包装袋１のように、その上端縁２側に、把手６の形状に沿って、複数の切れ目１２が断続的に配置されており、複数の切れ目１２のうち少なくとも一部を、その端部が把手６とは離間する方向に湾曲ないし屈曲する形状の切れ目（以下、「端部曲げ切れ目」と称する場合がある）としたものである。この包装袋１は、把手６中央の開口部に相当する部分を手指で押し込み、断続的に配置された切れ目１２の間（不連続部１４）を切断することにより把手６を形成することができる。
【００２１】
［１−１］前記構成に基づく効果：
本発明の包装袋は、図４に示す包装袋１のように、複数の切れ目１２のうち少なくとも一部の切れ目１２ａ，１２ｂ，１２ｃを、端部曲げ切れ目とすることにより、把手６を形成する際に把手６に裂け目を生じ難くさせ、把手６の強度や耐久性を向上させたものである。以下、図４の他、図５の把手形成前後の状態を示す工程図により具体的に説明する。
【００２２】
図４及び図５に示す包装袋１は、複数の切れ目１２のうち少なくとも一部の切れ目１２ａ，１２ｂ，１２ｃを、端部曲げ切れ目としている。従って、開口部４に相当する部分に力をかけると、切れ目１２がその端部の曲げ方向（把手６とは離間する方向、包装袋１の例では袋の下端縁１６方向）に向かって延伸されていくという特徴がある。
【００２３】
このような包装袋１では、切断部１８は把手６とは離間する方向（包装袋１の例では袋の下端縁１６方向）に向かって凸となる形状に、一方、裂け目２０は把手６とは離間する方向に向かって凹となる形状に形成され易い。即ち、把手６の破断の原因となる裂け目２０が、把手６の側ではなく、切り残し部１０の側に形成されるように誘導することができるため、把手６が裂け目によって損傷することが少なく、把手６の強度や耐久性を向上させることが可能となる。
【００２４】
一方、図３及び図６に示す包装袋１２０のように、切れ目１２を単純に把手６の軌跡と合致する形状とした場合には、開口部４に相当する部分に力をかけると、切れ目１２はランダムな方向に延伸されてしまう。即ち、裂け目２０の形成方向を制御することができないため、裂け目２０が把手６の側に形成されるおそれがある（図６、「切断後形状１」を参照）。このような場合には、把手６の強度や耐久性が低下せざるを得ないため、包装体１２３を運搬する際にその重みが裂け目２０に集中し、把手６が破断されてしまう事態を回避することが困難である。
【００２５】
［１−２］切れ目：
本発明の包装袋は、把手を形成するための切れ目の形状に特徴がある。具体的には、切れ目を、その端部が把手とは離間する方向に湾曲ないし屈曲する形状とするという特徴的な構成を有するものである。
【００２６】
本明細書において「切れ目」とは、包装袋を構成するフィルム状材料を貫通するように形成されたスリットを意味する。本発明においては、袋の上端縁側に、把手の形状に沿って、複数の切れ目が断続的に配置される。袋の「上端縁」とは、包装袋ないし包装体を持ち運ぶ際に上側となる部分の端縁を意味する。袋の「上端縁側」に配置するのは、持ち運びの便宜のためであり、図４及び図５に示す包装袋１においては、上端縁２側に形成されたフラップ部８に切れ目１２が配置されている。
【００２７】
また、「断続的に配置」とは、複数の切れ目がその間の不連続部を介して全体としては連続するように配置されていることを意味する。具体的には、複数の切れ目が破線状に配置されてミシン目となっているものでもよいし、比較的長い切れ目の間を点状ないし短い直線状の不連続部分で連結させたような構成のものでもよい。例えば、図４及び図５に示す包装袋１は、比較的長い切れ目１２の間を点状ないし短い直線状の不連続部１４で連結させたような構成のものである。
【００２８】
切れ目は、把手の形状に沿って配置するものであるため、その基本形状（端部を除く形状）は直線状であってもよいし、曲線状であってもよい。例えば、図４及び図５に示す包装袋１は、３本の切れ目１２ａ，１２ｂ，１２ｃのうち、中央の切れ目１２ｂについては基本形状を直線状とし、左右の切れ目１２ａ，１２ｃについては、基本形状を曲線状とした例である。
【００２９】
切れ目の曲げ方向を「把手とは離間する方向」としたのは、切れ目の間の不連続部を切断する際に、切れ目が把手の側に延伸されることを防止するためである。通常、把手は中央に開口部を有する環状に形成されるため、切れ目の端部を開口部の側に曲げ込む形状とすれば、切れ目が開口部の側に延伸されるように誘導することができる。例えば、図４及び図５に示す包装袋１は、切れ目１２の端部を、開口部４が形成される下端縁１６側に曲げ込んだ形状とした例である。
【００３０】
切れ目端部の曲げ形状は、「湾曲ないし屈曲させた形状」であるから、直線の端部にＲ付けをした場合のような曲線的な曲げ形状（湾曲）であってもよいし、直線がある一点で折れ曲がったような直線的な曲げ形状（屈曲）であってもよい。中でも、切れ目を形成するカッターのメンテナンスが容易である点において、湾曲形状であることが好ましい。例えば、図４及び図５に示す包装袋１は、切れ目１２の端部を、曲線的に湾曲させた形状とした例である。
【００３１】
切れ目は、その一方の端部を前記のような曲げ形状とするのみでも本発明の効果を奏するが、その両端部を前記のような曲げ形状とすることで、より高い効果を発揮する。例えば、図４及び図５に示す包装袋１は、３本の切れ目１２ａ，１２ｂ，１２ｃのうち、中央の切れ目１２ｂについては両端部を曲線的に湾曲させた形状とし、左右の切れ目１２ａ，１２ｃについては、切れ目１２ｂ側の端部のみを曲線的に湾曲させた形状とした例である。
【００３２】
本発明においては、「少なくとも一部の切れ目」を前記のような端部曲げ切れ目とする必要があるが、全ての切れ目を端部曲げ切れ目とする必要はない。
【００３３】
使い捨て紙製品を包装する包装袋においては、例えば、図４及び図５に示す包装袋１のように、複数の切れ目１２が、袋の上端縁２側に向かって凸となる形状に断続的に配置する構成が採用される場合がある。このような構成は、袋の下端縁１６側に向かって凸となる形状に断続的に配置した場合と比較して、把手６の把持部分に余分な切り残し部１０が存在しないために、把手を掴み易いという利点があり好ましい。
【００３４】
前記のような構成を採用する場合には、複数の切れ目１２ａ，１２ｂ，１２ｃのうち、少なくとも袋の上端縁２に沿って配置された切れ目１２ｂを、その端部が袋の下端縁１６方向に湾曲ないし屈曲する形状の切れ目としたものも好ましい形態の一つである。包装体３の重量は、把手６のうち開口部４の上側の部分に集中的に作用するため、袋の上端縁２に沿って配置された切れ目１２ｂを端部曲げ切れ目とすることにより、包装体３を運搬する際に把手６が破断されてしまう事態を有効に防止することができる。
【００３５】
［２］包装袋の全体構成：
本発明の包装袋は、断続的に配置された切れ目の間の不連続部を切断することにより把手を形成し得るものであって、前記のような端部曲げ切れ目を少なくとも１本有している限り、その全体構成について特に制限はない。但し、本発明の包装袋は、いわゆるガセット型の包装袋に好適に用いることができる。
【００３６】
ガセット型の包装袋とは、図７に示すような、両側縁２２，２４に襠部２６，２８が形成されたガセットチューブ３０からなり、そのガセットチューブ３０の端縁開口が封着されることにより、全体が袋状に構成されている包装袋３２である。通常は、図７に示すように、上端縁２に沿って直線状の封着部３４，３６を２箇所形成し、上端縁２側の端部開口を封着し、下端縁１６側の端部開口が開放された袋状とする。この封着部は、ヒートシール等の従来公知の方法により形成することができる。
【００３７】
ガセットチューブは、樹脂製のフィルム状材料から構成される。フィルム状材料を構成する樹脂の種類については特に制限はなく、通常、包装袋に使用されるポリエチレン、ポリプロピレン等の樹脂を用いることができる。中でも、延伸性や強度の面で、ポリエチレンフィルムが好ましく、袋の不透明度を上げるために、酸化チタンを含有させたポリエチレンフィルムが更に好ましい。フィルム状材料の厚さは、被包装体の種類や重量によっても異なるが、５０〜１１０μｍとすることが好ましく、６５〜９０μｍとすることが更に好ましい。
【００３８】
襠部とは、被包装体を袋に詰めた際に広がるように構成された襞状の部分を意味する。通常は、山折り線、谷折り線、山折り線の順で折り目を形成し、襞状とする構成が一般的である。山折り線と谷折り線の間隔を調整することによって、形成される襠部の幅を調整することができる。襠部の幅は、被包装体の形状等に応じて適宜選択することができる。例えば、子供用使い捨ておむつを包装するための包装袋の場合は、１００〜２６０ｍｍ程度とすればよいし、大人用使い捨ておむつを包装するための包装袋の場合は、１２０〜３２０ｍｍ程度とすればよい。
【００３９】
以下、ガセットチューブを用いて本発明の包装袋及び包装体を製造する方法の一例を、図４に示す包装袋１及び包装体３を製造する場合の例により説明する。
【００４０】
図４に示す包装袋１及び包装体３は、図７に示すような方法で製造することができる。まず、両側縁２２，２４に襠部２６，２８が形成されたガセットチューブ３０を用意する。次いで、このガセットチューブ３０の一方の端縁開口（図７では上端縁２側の開口）をヒートシールによって封着し、下端縁１６側が開放された袋状とする。封着は、ガセットチューブ３０の上端縁２に沿って、直線状の２箇所の封着部３４，３６を形成することにより行う。この２箇所の封着部３４，３６の間がフラップ部８となる。
【００４１】
更に、フラップ部８に、把手の形状に沿って、複数の切れ目１２ａ，１２ｂ，１２ｃを断続的に配置する。この際、複数の切れ目１２ａ，１２ｂ，１２ｃのうち少なくとも一部の切れ目１２ａ，１２ｂ，１２ｃを、端部曲げ切れ目とすることによって、図４及び図５に示す包装袋１を得ることができる。端部曲げ切れ目は、端部に所望の曲げ形状を有するカッターで打ち抜くことにより形成することができる。
【００４２】
この包装袋１の下端縁１６側の開口から、被包装体３８（例えば、折り畳まれた使い捨ておむつの束等）を挿入し、下端縁１６側の開口をヒートシールによって封着して、上端縁２側と同様に封着部を形成することにより、図４及び図５に示す包装体３を製造することができる。
【００４３】
なお、本発明の包装袋には、包装袋を開封して被包装体を取り出すためのミシン目を形成してもよい。このようなミシン目を形成することにより、比較的簡便に、力を要することなく内容物である被包装体を取り出すことができる。ミシン目の形成位置は特に限定されるものではなく、被包装体の取出しが容易となる位置に形成すればよい。例えば、図４に示す包装袋１は、袋の正面側の傾斜面から前面にかけてミシン目５を形成した例である。この例では、ミシン目５が全体として波型となるように配置されている。
【産業上の利用可能性】
【００４４】
本発明の包装袋及び包装体は、使い捨ておむつ、生理用ナプキン、トイレットペーパー、ティシュペーパー等の包装用途に利用することが可能である。そして、本発明の包装袋及び包装体は、把手の強度や耐久性が高く、包装体を運搬する際に、把手が破断され難いので、大量かつ重量のある被包装体の包装用途、例えば、トイレットペーパー、使い捨ておむつ等の包装用途に特に好適に用いることができる。
【図面の簡単な説明】
【００４５】
【図１】従来の包装袋及び包装体の一の実施形態を示す斜視図であり、包装袋及び包装体を正面側から見た状態を示す斜視図である。
【図２】従来の包装袋及び包装体の別の実施形態を示す斜視図であり、包装袋及び包装体を正面側から見た状態を示す斜視図である。
【図３】従来の包装袋及び包装体の更に別の実施形態を示す斜視図であり、包装袋及び包装体を正面側から見た状態を示す斜視図である。
【図４】本発明の包装袋及び包装体の一の実施形態を示す斜視図であり、包装袋及び包装体を正面側から見た状態を示す斜視図である。
【図５】図４に示す包装袋の把手形成前後の状態を示す工程図であり、不連続部を切断する前後のフラップ部の形状を示す工程図である。
【図６】図３に示す包装袋の把手形成前後の状態を示す工程図であり、不連続部を切断する前後のフラップ部の形状を示す工程図である。
【図７】本発明の包装袋及び包装体を製造する工程を示す工程図である。
【符号の説明】
【００４６】
１，３２，１００，１１０，１２０：包装袋、２：上端縁、３，１０３，１１３，１２３：包装体、４：開口部、５：ミシン目、６：把手、８：フラップ部、１０：切り残し部、１２：切れ目、１４：不連続部、１６：下端縁、１８：切断部、２０：裂け目、２２，２４：側縁、２６，２８：襠部、３０：ガセットチューブ、３４，３６：封着部、３８：被包装体。
【図１】
2007084105.tif 000003
【図２】
2007084105.tif 000004
【図３】
2007084105.tif 000005
【図４】
2007084105.tif 000006
【図５】
2007084105.tif 000007
【図６】
2007084105.tif 000008
【図７】
2007084105.tif 000009